(57)【要約】【課題】半田付け不良の発生を防止する。【解決手段】ハウジング３０に装着された端子金具２１は、半田付け部２４の前方に略平行に並んで延出したＬ字形の一対のアーム部２５を備えている。ケーブル１０の芯線１２の先端側を一対のアーム部２５の間に挟圧保持させてから芯線１２を半田付け部２４に半田付けすることで、この芯線１２の隣接する端子金具２１や芯線１２との接触や、芯線１２の端子金具２１からの浮き上がり等が規制されるため、半田付け不良の発生を防止できる。【選択図】　図５
2004071494.tif 000002
【特許請求の範囲】
【請求項１】
相手の端子金具に接続可能な端子接続部と、
電線の芯線を半田付けにより固着可能な半田付け部とを備えた端子金具であって、
前記芯線における前記半田付け部に対する固着部分よりも先端側部分を保持可能な芯線保持部を備えていることを特徴とする端子金具。
【請求項２】
前記芯線保持部は、略平行に並んで延出された一対のアーム部の間に前記芯線を挟圧保持する構成とされていることを特徴とする請求項１に記載の端子金具。
【発明の詳細な説明】
【０００１】
【発明の属する技術分野】
本発明は、端子金具に関し、特に電線の芯線が半田付けにより固着されるものに関する。
【０００２】
【従来の技術】
特開２００２−８７６５には、ケーブルの端末を装着して使用されるコネクタが記載されている。このものは、ハウジングの上面に多数の端子金具が並設されるとともに、ケーブルを構成する各電線の芯線をそれぞれ対応する端子金具の上面に載せて半田付けによって固着する構造になっている。係るケーブルにおいては、特に細径のものであると、各芯線の先端がそれぞれいずれかの向きに曲がった状態になっていることがある。そこで上記のものでは、ハウジングに各端子金具に対応した位置に位置決め溝を設け、各芯線を位置決め溝に挿入して位置決めした状態で半田付けを行うことで、隣接する芯線同士の接触の防止等を図っている。
【０００３】
【発明が解決しようとする課題】
しかしながら、ケーブルの各芯線の中にはその先端が上向き（端子金具から離間する側）に曲がった癖が付いたものもあり、そのような芯線に対しては上記の位置決め溝によっては位置決めできず、たとえ半田付けを行っても例えば図６に示すように、芯線１の先端が半田２を付けたまま端子金具３から浮き上がってしまい、半田付け不良となってしまうという問題があった。
本発明は、上記事情に鑑みてなされたもので、その目的は、半田付け不良の発生を防止することの可能な端子金具を提供するところにある。
【０００４】
【課題を解決するための手段】
上記の課題を解決するための請求項１の発明に係る端子金具は、相手の端子金具に接続可能な端子接続部と、電線の芯線を半田付けにより固着可能な半田付け部とを備えた端子金具であって、前記芯線における前記半田付け部に対する固着部分よりも先端側部分を保持可能な芯線保持部を備えているところに特徴を有する。
【０００５】
請求項２の発明は、請求項１に記載のものにおいて、前記芯線保持部は、略平行に並んで延出された一対のアーム部の間に前記芯線を挟圧保持する構成とされているところに特徴を有する。
【０００６】
【発明の作用および効果】
請求項１及び請求項２の発明によれば、電線保持部によって芯線の先端側を保持させてから半田付けを行うことで、この芯線の隣接する端子金具や芯線との接触や、芯線の端子金具からの浮き上がり等が規制されるため、半田付け不良の発生を防止できる。
【０００７】
【発明の実施の形態】
次に本発明の一実施形態について図１から図５を参照して説明する。本実施形態の端子金具２１は、図１に示すように、ケーブル１０の端末を装着して使用されるシールドコネクタ２０に備えられたものである。シールドコネクタ２０は、図示５本の端子金具２１と、これらが装着されるハウジング３０と、上下一対のシールド板４０，５０とから構成されている。
【０００８】
ケーブル１０は、図３にも示すように、複数本（図示５本）のシールド電線１１を備えて構成されており、その端末からは各シールド電線１１の芯線１２が剥き出されている。芯線１２よりも基端側においては、全てのシールド電線１１のシールド層が板状の短絡板１３によって短絡された状態で固定され、これにより各シールド電線１１の端末部が一定ピッチの並列状に保持されている。
【０００９】
端子金具２１は、導電性の金属板材をプレスにより打ち抜き曲げ加工を施すことで、図２に示すように前後方向に細長い形状に形成されている。端子金具２１の前部には一段高く屈曲形成された端子接続部２２が設けられるとともに、その後方には側方に延出した部分の先端が下方に直角曲げされることで圧入部２３が形成されている。また、端子金具２１の後部は、幅寸法がやや拡大した板片の延出端側を上面に折り重ねることで、シールド電線１１の芯線１２を半田付けするための半田付け部２４が形成されている。さらに、その板片の先端（前端側）からは、一対のアーム部２５（本発明の「電線保持部」に相当）が長さ方向に延出され、その延出端が上方に直角曲げされることで間に保持溝２６が形成されている。詳細には、両アーム部２５は金属板から打ち抜かれる際には所定の間隔を開けた平行姿勢を取っており、延出端が直角曲げされた後、両延出端が互いに接近するように屈曲されることで、保持溝２６の溝幅がシールド電線１１の芯線１２の直径よりも小さくされている。また、各アーム部２５の先端には、芯線１２を保持溝２６へ導くためのテーパ面２５Ａが形成されている（図４参照）。
【００１０】
ハウジング３０は、図１及び図３に示すように、合成樹脂材によって略長方形の板状に形成され、その前端から嵌合突部３１が突設されている。ハウジング３０の上面には、ケーブル装着凹部３２が凹んで形成されており、嵌合突部３１からケーブル装着凹部３２の前部に至る領域の上面には、端子金具２１を挿入可能な図示５本の端子装着溝３３が横幅方向に並んで形成されている。各端子装着溝３３の前後方向略中央の右側部には圧入孔３４が形成され、ここに端子金具２１の圧入部２３が上方から挿入可能とされている。また、ケーブル装着凹部３２の後部には、左右一対の開口３５が形成され、ケーブル１０の短絡板１３がこれらの開口３５を横切って収容可能とされている。
【００１１】
下シールド板４０は、導電性の金属板によって形成され、ハウジング３０の底面のほぼ全体を覆って装着可能とされている。下シールド板４０の後端寄りの位置には、ケーブル１０の短絡板１３の下面に接触する一対の下接触片４１が斜めに切り起こし形成され、ケーブル装着凹部３２の開口３５を通してその上方に突出している。一方、上シールド板５０は、同じく導電性の金属板によって形成され、ハウジング３０のうち嵌合突部３１を除いた部分の上方を覆って装着可能とされている。また、その後端寄りの位置にケーブル１０の短絡板１３の上面に接触する一対の上接触片５１が斜めに切り起こし形成されている。
【００１２】
本実施形態の構成は以上であり、次にその作用を説明する。
シールドコネクタ２０の組み付けに際しては、まずハウジング３０の各端子装着溝３３へ上方から端子金具２１が装着される。このとき各圧入孔３４へ圧入部２３が圧入されて、この圧入部２３が圧入孔３４の内壁に食い込んだ状態で係止する。
【００１３】
続いて、ハウジング３０が下シールド板４０に上方から組み付けられた後、ケーブル装着凹部３２へケーブル１０の端末部が上方から載せられる。このとき、図４（Ａ）（Ｂ）に示すように、各ケーブル電線１１の芯線１２が対応する端子金具２１の保持溝２６内に挿入される。芯線１２が保持溝２６に挿入されると、一対のアーム部２５が互いに外側に押し広げられて、両アーム部２５によって芯線１２が弾性的に挟圧保持されるとともに、芯線１２と端子金具２１との導通も取られる。
【００１４】
この状態から、半田付け部２４の上面に芯線１２を半田付けＳによって固着する。ここで、芯線１２は半田付けＳによる固着部分よりも先端側部分が一対のアーム部２５によって保持され、基端側が短絡板１３に固着されていることから、この半田付けの過程において、芯線１２が本来の位置から横に曲がったり、あるいは半田付け部２４の表面から浮き上がったりすることが規制されるため、円滑に半田付けを行うことができる。
【００１５】
最後に、ハウジング３０の上面に上シールド板５０を被着して、シールドコネクタ２０が完成する。なお、このシールドコネクタ２０は、前方から図示しない相手側コネクタに嵌合され、嵌合状態においては各端子金具２１の端子接続部２２の上面に相手側の端子金具が接触することで、各シールド電線１１の芯線１２と両端子金具との導通が取られる。また、下シールド板４０が相手側のアース回路等に接続されることで、上下シールド板４０，５０により放射ノイズを除去する等のシールド効果が得られる。
【００１６】
以上のように本実施形態によれば、一対のアーム部２５によって芯線１２の先端側を保持させてから半田付けを行うことで、芯線１２の隣接する端子金具２１や芯線１２との接触や、芯線１２の端子金具２１からの浮き上がり等が規制されるため、半田付け不良の発生を防止できる。
また、芯線１２に対して半田付け部２４及び保持溝２６の２カ所で導通を取るため、電気的な接触の信頼性を高めることができる。
【００１７】
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では、シールドコネクタに装着される端子金具を示したが、本発明によれば、その他の種類のコネクタ等に用いても良く、またシールド電線の以外の電線の芯線を固着するようにしても良い。
（２）上記実施形態では、電線の芯線を一対のアーム部の弾性力によって挟圧保持するようにしたが、本発明によれば、電線保持部はその他の形態としても良く、例えば芯線をかしめて保持するような形態としても良い。
（３）上記実施形態では、一対のアーム部により芯線部分を保持するようにしたが、本発明によれば、芯線の先端側に被覆を残してその被覆部分を保持するようにしても良い。
【図面の簡単な説明】
【図１】本実施形態のシールドコネクタを示す断面図
【図２】（Ａ）端子金具の平面図
（Ｂ）端子金具の側面図
【図３】ケーブルをハウジングに装着する前の状態を示す平面図
【図４】（Ａ）保持溝に芯線を挿入する前の状態を示す背面図
（Ｂ）保持溝に芯線を挿入した後の状態を示す背面図
【図５】ケーブルをハウジングに装着した状態を示す平面図
【図６】従来例において半田付け不良の生じた状態を示す側面図
【符号の説明】
１０…ケーブル
１１…シールド電線
１２…芯線
２１…端子金具
２２…端子接続部
２４…半田付け部
２５…アーム部（芯線保持部）
３０…ハウジング
【図１】
2004071494.tif 000003
【図２】
2004071494.tif 000004
【図３】
2004071494.tif 000005
【図４】
2004071494.tif 000006
【図５】
2004071494.tif 000007
【図６】
2004071494.tif 000008